(57)【特許請求の範囲】
【請求項１】
機器を梱包する梱包材であって、
前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆うと共に梱包状態において前記下梱包部材の上端に当接する大きさの上梱包部材とからなり、
前記下梱包部材の上端隅部には前記アングル型補強部材を露出させる下角切り欠き部が設けられ、
前記上梱包部材の下端隅部には前記アングル型補強部材を露出させる上角切り欠き部が設けられ、
梱包状態において前記下梱包部材の上端と前記上梱包部材の下端と前記下角切り欠き部および前記上角切り欠き部から露出している前記アングル型補強部材とを接合し、互いを固定する粘着テープが設けられていることを特徴とする梱包材。
【請求項２】
前記機器は、湯水を貯湯する貯湯タンクを備えた貯湯式給湯装置であることを特徴とする請求項１記載の梱包材。
【請求項３】
梱包材による機器の梱包方法であって、
前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆う上梱包部材とからなり、
前記下梱包部材の上端隅部には前記アングル型補強部材を露出させる下角切り欠き部が設けられ、前記上梱包部材の下端隅部には前記アングル型補強部材を露出させる上角切り欠き部が設けられ、
梱包時に前記下梱包部材の上端と前記上梱包部材の下端とが当接されると共に、前記下梱包部材の上端と前記上梱包部材の下端とを接合する粘着テープの貼着によって、前記下梱包部材、前記上梱包部材および前記複数のアングル型補強部材が互いに固定されるようにしたことを特徴とする梱包材による機器の梱包方法。
【請求項４】
前記機器は、湯水を貯湯する貯湯タンクを備えた貯湯式給湯装置であることを特徴とする請求項３記載の梱包材による機器の梱包方法。
【発明の詳細な説明】
【技術分野】
【０００１】
本発明は、機器底板に備えられた支持脚によって支持される機器を梱包する梱包材および梱包材による機器の梱包方法に関するものである。
【背景技術】
【０００２】
従来よりこの種の大型の機器の梱包材は、特許文献１のように、一体に全周を覆う側面梱包部材と、天面を覆う天面梱包部材とから構成されているものがあった。
【先行技術文献】
【特許文献】
【０００３】
【特許文献１】特開２００７−２４６１１８号公報
【発明の概要】
【発明が解決しようとする課題】
【０００４】
ところがこの従来のものでは、大型の側面梱包部材を機器の上から被せて、さらにその上に薄型の天面梱包部材を被せるようにしているため、側面梱包部材は非常に大判となり、当該部材を製作するのに大型の設備を利用しなければならず、コスト高要因となっていた。
【０００５】
また、被梱包機器の四隅を保護するためのアングル型補強部材を側面梱包部材と被梱包機器との間の角部に配置したものあるが、側面梱包部材を構成するダンボールシートの伸縮状態によっては、アングル型補強部材が被梱包機器の四隅からずれてしまうことがあり、側面梱包部材によってアングル型補強部材の全面が覆われるために、アングル型補強部材がずれていてもわからず不完全な梱包状態で出荷されてしまう可能性があった。
【課題を解決するための手段】
【０００６】
上記課題を解決するため、本発明は、機器を梱包する梱包材であって、前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆うと共に梱包状態において前記下梱包部材の上端に当接する大きさの上梱包部材とからなり、前記下梱包部材の上端隅部には前記アングル型補強部材を露出させる下角切り欠き部が設けられ、前記上梱包部材の下端隅部には前記アングル型補強部材を露出させる上角切り欠き部が設けられ、梱包状態において前記下梱包部材の上端と前記上梱包部材の下端と前記下角切り欠き部および前記上角切り欠き部から露出している前記アングル型補強部材とを接合し、互いを固定する粘着テープが設けられているものとした。
【０００７】
また、梱包材による機器の梱包方法であって、前記梱包材は、前記機器の隅部を保護する複数のアングル型補強部材と、前記アングル型補強部材が装着された前記機器の側面下半分の全周を覆う下梱包部材と、前記アングル型補強部材が装着された前記機器の側面上半分の全周を覆う上梱包部材とからなり、前記下梱包部材の上端隅部には前記アングル型補強部材を露出させる下角切り欠き部が設けられ、前記上梱包部材の下端隅部には前記アングル型補強部材を露出させる上角切り欠き部が設けられ、梱包時に前記下梱包部材の上端と前記上梱包部材の下端とが当接されると共に、前記下梱包部材の上端と前記上梱包部材の下端とを接合する粘着テープの貼着によって、前記下梱包部材、前記上梱包部材および前記複数のアングル型補強部材が互いに固定されるようにした。
【０００８】
また、前記機器は、湯水を貯湯する貯湯タンクを備えた貯湯式給湯装置である。
【発明の効果】
【０００９】
本発明によれば、下梱包部材と上梱包部材の２つの梱包部材によって機器側面周囲の下部および上部を覆うことができるため、梱包部材の原盤となるダンボールシートを比較的小板のものを使うことができ、製造設備も小型化でき、コストを抑制することができると共に、下角切り欠き部と上角切り欠き部とによって形成される穴から被梱包機器の隅部にアングル型補強部材が位置していることが容易に確認でき、粘着テープの貼り付けによってアングル型補強部材を下梱包部材および上梱包部材に確実に固定することができ、そのため、下梱包部材および上梱包部材の内寸がばらつき等によって大きくなっていたとしてもアングル型補強部材の移動が防止され、機器の隅部を確実に保護することができるものである。
【００１０】
当該梱包材は、湯水を貯湯する貯湯タンクを備えた貯湯式給湯装置を梱包する梱包材において特に有効である。
【図面の簡単な説明】
【００１１】
【図１】本発明の一実施形態の梱包の構成図
【図２】上梱包部材および下梱包部材の展開図
【図３】梱包作業を説明する斜視図
【図４】梱包状態の貯湯式給湯装置を側面後側から見た状態を示す斜視図
【発明を実施するための形態】
【００１２】
次に、本発明の一実施形態の貯湯式給湯装置の梱包材を図面に基づいて説明する。
図１において、１は機器底板２に備えられた支持脚３によって支持される機器としての貯湯式給湯装置で、湯水を貯湯する容量３００リットル〜５６０リットル程度の貯湯タンクを四角柱状の外装体に内蔵し、外装体の正面側に外部給湯配管や外部給水配管等が接続される配管接続部４が設けられており、その全高は１７００ｍｍ〜２２００ｍ程度、全幅は６００ｍｍ〜８００ｍｍ程度のものである。
【００１３】
５は貯湯式給湯装置１の下部に支持脚３とボルトナット等で締結固定された木製の梱包架台、６はダンボールをアングル状に折り返して形成され貯湯式給湯装置１の四隅をガードするアングル型補強部材、７は貯湯式給湯装置１の側面下半分の全周を覆うダンボール製の下梱包部材、８は貯湯式給湯装置１の側面上半分の全周および天面の一部を覆う上梱包部材である。
【００１４】
下梱包部材７は、図２（ａ）の展開図に示すように、貯湯式給湯装置１の側面のうち２面分よりアングル型補強部材６の厚さ分だけ幅広い大きさのダンボールシート７１から構成され、このダンボールシート７１を幅方向に直角に折り曲げて２枚組み合わせることで下梱包部材７が形成されるものである。
【００１５】
そして、７２は機器底板２の一部を露出させるための目視用切り欠き部、７３は下梱包部材７を形成するダンボールシート７１同士を接合するための下接合代部、７４は貯湯式給湯装置１の側面に対応する部位の下梱包部材７の正面寄り上端から中程に向けて略垂直方向の切り開き用下垂直ジッパ部、７５は切り開き用下垂直ジッパ部７４の下端から下梱包部材７の正面側寄りの下端に架けて斜め方向の切り開き用下斜めジッパ部、７６は切り開き用下垂直ジッパ部７４と切り開き用下斜めジッパ部７５の交点位置に開口された下切り開き開始部である。
【００１６】
７７は下梱包部材７の上端の四隅に相当する位置を切り欠いて設けられた下角切り欠き部で、組み付け時に貯湯式給湯装置１の四隅に装着されるアングル型補強部材６を露出させるものである。
【００１７】
そして、一のダンボールシート７１の左辺にある下接合代部７３を他のダンボールシート７１の右辺の辺縁部の内面に当てた状態で、多数のステープルによって接合し、また他のダンボールシート７１の左辺にある下接合代部７３を一のダンボールシート７１の右辺の辺縁部の内面に当てた状態で多数のステープルによって接合し、角筒状の下梱包部材７が形成される。
【００１８】
上梱包部材８は、図２（ｂ）の展開図に示すように、貯湯式給湯装置１の側面のうち２面分よりアングル型補強部材６の厚さ分だけ幅広い大きさのダンボールシート８１から構成され、このダンボールシート８１を幅方向に直角に折り曲げて２枚組み合わせることで上梱包部材８が形成されるものである。
【００１９】
そして、８２は上梱包部材８を形成するダンボールシート同士を接合するための上接合代部、８３は貯湯式給湯装置１の側面に対応する部位の上梱包部材８の正面寄り下端から中程に向けて略垂直方向の切り開き用上垂直ジッパ部、８４は切り開き用上垂直ジッパ部８３の上端から上梱包部材８の正面側寄りの上端に架けて斜め方向の切り開き用上斜めジッパ部、８５は切り開き用上垂直ジッパ部８２途中位置に開口された上切り開き開始部である。
【００２０】
８６は上梱包部材７の下端の四隅に相当する位置を切り欠いて設けられた上角切り欠き部で、組み付け時に貯湯式給湯装置１の四隅に装着されるアングル型補強部材６を露出させるものである。
【００２１】
９は上梱包部材８を構成するダンボールシート８１それぞれの上端に設けられ、貯湯式給湯装置１の天面の一部を覆う天面フラップで、天面の側部側を覆う側部天面フラップ９１と、天面の前部側または後部側を覆う前後部天面フラップ９２とが直角の山折り目部９３を介して一体に構成され、山折り目部９３下端から前後部天面フラップ９２側斜め４５度上方に架けて谷折り目部９４が形成されている。
【００２２】
そして、一のダンボールシート８１の左辺にある上接合代部８２を他のダンボールシート８１の右辺の辺縁部の内面に当てた状態で、多数のステープルによって接合し、また他のダンボールシート８１の左辺にある上接合代部８２を一のダンボールシート８１の右辺の辺縁部の内面に当てた状態で多数のステープルによって接合し、角筒状の上梱包部材８が形成される。
【００２３】
ここで、切り開き用下垂直ジッパ部７４、切り開き用下斜めジッパ部７５、切り開き用上垂直ジッパ部８３、切り開き用上斜めジッパ部８４は、図２（Ｃ）に示すように、多数の切り込み１０を一定間隔毎に設けた切り込み線１１を２本平行に設けて構成されており、切り込み線１１で囲まれた領域のダンボールを手で切り離すことを可能としているものである。
【００２４】
そして梱包作業時は、図３（ａ）に示すように、貯湯式給湯装置１に下梱包部材７の目視用切り欠き部７１を下にすると共に、切り開き用下垂直ジッパ部７４および切り開き用下斜めジッパ部７５がない面を前後面となるようにして下梱包部材７を梱包架台５に当たる最下部まで被せ入れる。
【００２５】
次に、下梱包部材７の角部と貯湯式給湯装置１の四隅との間の隙間に挿入するようにしてアングル型補強部材６を装着し、その上から上梱包部材８を天面フラップ９が上、かつ切り開き用上垂直ジッパ部８３および切り開き用上斜めジッパ部８４がない面を前後面となる状態で下梱包部材７の上端に当たるまで被せ入れる。
【００２６】
そして、梱包作業者が下梱包部材７と上梱包部材８との突き合わせ部に粘着テープ１２を全周にわたって貼り付け、下梱包部材７と上梱包部材８とを固定する。
【００２７】
このとき、下梱包部材７と上梱包部材８との突き合わせ部高さの四隅には、下角切り欠き部７７と上角切り欠き部８６とによって形成される穴によって四隅のアングル型補強部材６が露出しており、貯湯式給湯装置１の四隅にアングル型補強部材６が位置していることが容易に確認でき、組み付け忘れを防止できると共に、粘着テープ１２の貼り付けによって工数を増やすことなくアングル型補強部材６を下梱包部材７および上梱包部材８に確実に固定することができる。
【００２８】
そのため、下梱包部材７および上梱包部材８の内寸がばらつき等によって大きくなっていたとしてもアングル型補強部材６の移動が防止され、貯湯式給湯装置１の四隅を確実に保護することができ、梱包後の貯湯式給湯装置１の横倒し時や運送荷台からのズリ降ろし時等にも貯湯式給湯装置１の損傷を確実に防止できる。
【００２９】
次に、梱包作業者が貯湯式給湯装置１の両側面側の側部天面フラップ９１を機器天面側に折り曲げると、前後部天面フラップ９２の谷折り目部９４が内側に折り込まれ、谷折り目部９４と山折り目部９３との間の領域の前後部天面フラップ９２の裏面が側部天面フラップ９１の裏面に密着し、谷折り目部９４と山折り目部９３との間の領域の前後部天面フラップ９２の表面が残る前後部天面フラップ９２の表面に密着するようにして側部天面フラップ９１の下面に前後部天面フラップ９２が畳まれる。
【００３０】
このようにして、梱包作業者は側部天面フラップ９１を折り畳む動作のみで前後部天面フラップ９２が側部天面フラップ９１の下方に折り込まれ、最上面にフラットな側部天面フラップ９１が位置するため、前後方向に段差のない状態を形成できる。
【００３１】
最後に、梱包作業者が固定バンド１３で上梱包部材８の天面と梱包架台５とを締め付け固定して梱包が完了する。
【００３２】
なお、天面フラップ９の折り畳み作業を梱包作業者の手作業で行うよう説明したが、固定バンド１３を締め付ける工程において、梱包作業者が谷折り目部９４が内側に折り込まれるように補助するのみで、固定バンド１３の締め付けによって最後まで折り畳むようにしてもよい。
【００３３】
このように、下梱包部材７と上梱包部材８の２つの梱包部材によって機器側面周囲の下部および上部、さらに天面を覆うことができるため、梱包部材の原盤となるダンボールシートを比較的小板のものを使うことができ、製造設備も小型化でき、コストを抑制することができると共に、側部天面フラップ９１を折り畳む動作のみで前後部天面フラップ９２が側部天面フラップ９１の下方に折り込まれるので、梱包作業の工数も削減できる。
【００３４】
さらには、梱包状態の天面はフラットな側部天面フラップ９１が位置するため、梱包状態の貯湯式給湯装置１を立て積みする際にも上側の貯湯式給湯装置１の梱包架台５の底面が梱包に引っかかることなくスムースに積み上げおよび積み降ろしすることが可能となる。
【００３５】
そして、開梱時は、固定バンド１３と粘着テープ１２を離脱させた後、上梱包部材８の側面の上切り開き開始部８５から切り開き用上垂直ジッパ部８３の切り込み線１１で囲まれた領域のダンボールを作業者が手で切り取り、続いて切り開き用上斜めジッパ部８４の切り込み線１１で囲まれた領域のダンボールも切り取り、角筒状の上梱包部材８を周方向に切り離して上梱包部材８を貯湯式給湯装置１から容易に離脱可能としている。
【００３６】
このとき、切り開き用上垂直ジッパ部８３は機器正面側に寄せられて設けられていると共に、上切り開き開始部８５が上梱包部材８の低めの位置に開口されているため、最も手の力が必要な切り開き開始作業を無理のない体勢で行うことができ、上梱包部材８の離脱作業が容易となる。
【００３７】
次に、下梱包部材７の側面の下切り開き開始部７６から切り開き用下垂直ジッパ部７４の切り込み線１１で囲まれた領域のダンボールを作業者が手で切り取り、続いて切り開き用下斜めジッパ部７５の切り込み線１１で囲まれた領域のダンボールも切り取り、角筒状の下梱包部材７を周方向に切り離して下梱包部材７を貯湯式給湯装置１から容易に離脱可能としている。
【００３８】
このとき、切り開き用下垂直ジッパ部７４は機器正面側に寄せられて設けられていると共に、下切り開き開始部７６が下梱包部材７の高めの位置に開口されているため、最も手の力が必要な切り開き開始作業を無理のない体勢で行うことができ、下梱包部材７の離脱作業が容易となる。
【００３９】
このように、梱包材のハンドリング時に切り開き用のジッパ部７４、７５、８３、８４で折れ曲がり難くなり、さらに、下梱包部材７および上梱包部材８の高さを抑えられるため、狭いスペースで容易に梱包でき、また、開梱時に被梱包機器を傷つけることなく容易に下梱包部材７と上梱包部材８を切り裂くことができ、開梱後の廃材の処理も容易となるものである。
【００４０】
また、下梱包部材７の下端には、目視用切り欠き部７２が設けられているため、機器の落下があった場合に機器底板に歪みが生じているか否かが目視で確認でき、梱包引き渡し時などに落下痕のある個体を識別できると共に、切り開き用下斜めジッパ部７５が斜め方向に設けられていることによって、当該ジッパ部での折り曲げ耐性が向上するため、目視用切り欠き部７２を大きく開口することができ、目視確認範囲を拡大でき、落下痕のある個体の識別をより容易にすることができるものである。
【００４１】
そして、貯湯式給湯装置１から梱包架台５を離脱して設置場所の据え付け面に据え付けて支持脚３をアンカーボルトで固定して貯湯式給湯装置１が設置されるものである。
【００４２】
なお、本発明は上記一実施形態に限定されるものではなく、発明の要旨を変更しない範囲で改変可能なものであり、例えば、下梱包部材７および上梱包部材８は１枚のダンボールシートの両端を接合することで構成するようにしてもよいものであり、また、上梱包部材８は機器上側面だけを覆う構成として、上梱包部材とは別体の天面梱包部材を設ける構成としてもよいものである。
【００４３】
また、アングル型補強部材６も、ダンボールをアングル状に折り返して形成したもののみに限られず、例えば、樹脂材料をアングル状に成形してもよいものである。
【符号の説明】
【００４４】
１  貯湯式給湯装置（機器）
６  アングル型補強部材
７  下梱包部材
７７  下角切り欠き部
８  上梱包部材
８６  上角切り欠き部
１２  粘着テープ
【図１】
0005905743.tif 000002
【図２】
0005905743.tif 000003
【図３】
0005905743.tif 000004
【図４】
0005905743.tif 000005